【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
ユーザが保持する端末に、前記ユーザに提供すべき情報を送信する情報処理装置であって、
自分に接続される信号処理装置のうち、前記端末と通信可能な信号処理装置から送信される情報に基づいて、前記端末のユーザの現在位置の情報を取得する現在位置取得手段と、
前記現在位置取得手段により取得された現在位置の情報に基づいて、自分が読み出し可能な複数の情報の中から、前記ユーザに提供すべき情報を検索する検索手段と、
前記検索手段により検索された前記情報を、前記端末に送信する送信手段と、
を備える情報処理装置。
【請求項２】
前記信号処理装置により前記端末から取得される前記ユーザの行先または出発地に関する情報を取得する情報取得手段をさらに備え、
前記検索手段は、前記情報取得手段により取得された行先または出発地に関する情報に基づいて、自分が読み出し可能な複数の情報の中から、前記ユーザに提供すべき情報を検索する
請求項１に記載の情報処理装置。
【請求項３】
前記報取得手段は、前記ユーザが交通機関を利用するとき、前記端末に記憶させる前記交通機関の乗車券に対応する情報に基づいて、前記ユーザの行先または出発地に関する情報を取得する
請求項２に記載の情報処理装置。
【請求項４】
前記検索手段は、前記ユーザに提供すべき情報として、前記乗車券により前記ユーザが到達可能な前記交通機関の施設の近辺において、前記ユーザに対して提供される商品またはサービスに関する情報を検索する
請求項３に記載の情報処理装置。
【請求項５】
前記検索手段により検索される情報には、前記ユーザに対して提供される商品またはサービスの提供者が、前記情報を記憶した前記端末を保持するユーザに対して、前記情報を記憶した前記端末を保持していないユーザに対して提供されるサービスとは異なる所定のサービスを提供することを示す情報が含まれる
請求項４に記載の情報処理装置。
【請求項６】
前記所定のサービスを提供することを示す情報が、前記商品またはサービスの提供者に提示された場合、前記端末が前記所定のサービスを提供することを示す情報が提示されたことを表す情報を記憶し、
前記端末から前記所定のサービスを提供することを示す情報が提示されたことを表す情報を取得し、
前記取得された情報に基づいて、前記端末を所持するユーザの嗜好を表す情報を生成する
請求項５に記載の情報処理装置。
【請求項７】
前記端末を介して前記ユーザに提示された情報を特定する情報が前記端末に記録され、
前記端末に記録された前記端末を介して前記ユーザに提示された情報を特定する情報を取得するユーザ提示情報取得手段をさらに備える
請求項５に記載の情報処理装置。
【請求項８】
前記ユーザ提示情報取得手段が、前記ユーザに対して所定のサービスを提供するための機器に設けられ、
前記ユーザに対して前記所定のサービスが提供されるとき、
前記端末に記録された前記端末を介して前記ユーザに提示された情報を特定する情報が取得される
請求項７に記載の情報処理装置。
【請求項９】
前記検索手段は、前記ユーザに提供すべき情報として、前記乗車券により前記ユーザが到達可能な前記交通機関の第１の施設のさらに先にある前記交通機関の第２の施設の近辺において、前記ユーザに対して提供される商品またはサービスに関する情報を検索する
請求項３に記載の情報処理装置。
【請求項１０】
前記検索手段により検索される情報には、前記ユーザに対して提供される商品またはサービスの提供者が、前記ユーザが前記第１の施設のさらに先にある前記交通機関の第２の施設まで、前記交通機関を利用して移動するための費用を負担することを証明する情報が含まれる
請求項９に記載の情報処理装置。
【請求項１１】
前記検索手段は、前記ユーザに提供すべき情報として、前記乗車券の出発地から行先までの経路上の地図情報を検索する
請求項３に記載の情報処理装置。
【請求項１２】
前記検索手段により検索される情報には、前記ユーザに対する広告が含まれ、
前記送信手段により、前記端末に前記広告が送信された場合、広告主に対する、前記広告の送信に対応する課金情報を生成する課金情報生成手段をさらに備える
請求項１に記載の情報処理装置。
【請求項１３】
前記信号処理装置および前記端末のそれぞれが、出力値を判定するための基準点を得るための基準電極と、前記基準電極よりも通信媒体に対して静電結合が強くなるように設けられた信号電極とを有し、
前記基準電極と、前記信号電極との間に生じた電位差に基づく信号に基づいて前記端末との通信が行われる
請求項１に記載の情報処理装置。
【請求項１４】
ユーザが保持する端末に、前記ユーザに提供すべき情報を送信する情報処理装置の情報処理方法であって、
自分に接続される信号処理装置のうち、前記端末と通信可能な信号処理装置から送信される情報に基づいて、前記端末のユーザの現在位置の情報を取得し、
取得された現在位置の情報に基づいて、自分が読み出し可能な複数の情報の中から、前記ユーザに提供すべき情報を検索し、
検索された前記情報を、前記端末に送信する
ステップを含む情報処理方法。
【請求項１５】
ユーザが保持する端末に、前記ユーザに提供すべき情報を送信する情報処理装置に情報処理を実行させるプログラムであって、
自分に接続される信号処理装置のうち、前記端末と通信可能な信号処理装置から送信される情報に基づいて、前記端末のユーザの現在位置の情報の取得を制御し、
取得された現在位置の情報に基づいて、自分が読み出し可能な複数の情報の中から、前記ユーザに提供すべき情報の検索を制御し、
検索された前記情報の、前記端末への送信を制御する
ステップを含むコンピュータが読み取り可能なプログラム。
【手続補正２】
【補正対象書類名】明細書
【補正対象項目名】発明の名称
【補正方法】変更
【補正の内容】
【発明の名称】情報処理装置および方法、プログラム
【手続補正３】
【補正対象書類名】明細書
【補正対象項目名】０００１
【補正方法】変更
【補正の内容】
【０００１】
本発明は、情報処理装置および方法、プログラムに関し、特に、移動中のユーザに、より有用な情報を効率的に提供することができるようにする情報処理装置および方法、プログラムに記録媒体に関する。
【手続補正４】
【補正対象書類名】明細書
【補正対象項目名】００１５
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４１
【補正方法】削除
【補正の内容】
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】